(57)【要約】      （修正有）【課題】検出電極の検出感度を向上させることができるタッチパネルを提供する。【解決手段】タッチパネルＴ１は、ベース１００と、複数の検出電極２００ａ〜２００ｌと、制御部４００とを備えている。検出電極２００は、ベース１００の面上にマトリックス状に互いに間隔をあけて設けられている。制御部４００は、接続切替部と、検出部とを有している。接続切替部は、複数の接続を順次行うことを１サイクルとし、当該サイクルを繰り返すことが可能な構成である。前記接続は、各行の検出電極が一つの接続電極として機能するように当該各行の前記検出電極を接続することと、各列の検出電極が一つの接続電極として機能するように当該各列の前記検出電極を接続することとを含む。検出部は、前記接続電極の電気信号を各々検出し、当該電気信号に対応した信号を出力可能な構成である。【選択図】図１
2015032234.tif 000002
【特許請求の範囲】
【請求項１】
ベースと、
前記ベースの面上にマトリックス状に互いに間隔をあけて設けられた複数の検出電極と、
制御部とを備えており、
前記制御部は、接続切替部と、
検出部とを有しており、
前記接続切替部は、複数の接続を順次行うことを１サイクルとし、当該サイクルを繰り返すことが可能な構成であり、前記接続切替部の前記接続は、各行の前記検出電極が一つの接続電極として機能するように当該各行の前記検出電極を接続することと、各列の前記検出電極が一つの接続電極として機能するように当該各列の前記検出電極を接続することとを含み、
前記検出部は、前記接続電極の電気信号を各々検出し、当該電気信号に対応した信号を出力可能な構成であるタッチパネル。
【請求項２】
請求項１記載のタッチパネルにおいて、
各々の前記検出電極が、複数の前記行のうちの何れか一つの行の前記接続電極と複数の前記列のうちの何れか一つの列の前記接続電極とに共用されており、
前記制御部は、制御本体部をさらに有しており、
前記制御本体部は、前記１サイクル中に、前記検出部の前記信号に基づいて、前記電気信号が変化した複数の前記接続電極のうち二つの接続電極に共用されている前記検出電極に前記検出対象が接近したと判断可能な構成であるタッチパネル。
【請求項３】
ベースと、
前記ベースの面上にマトリックス状に互いに間隔をあけて設けられた複数の検出電極と、
制御部とを備えており、
前記制御部は、接続切替部と、
検出部とを有しており、
前記接続切替部は、複数の接続を順次行うことを１サイクルとし、当該サイクルを繰り返すことが可能な構成であり、前記接続切替部の前記接続は、予め定められた各グループの前記検出電極が一つの接続電極として機能するように当該各グループの前記検出電極を接続することを含み、
前記検出部は、前記接続電極の電気信号を各々検出し、当該電気信号に対応した信号を出力可能な構成であるタッチパネル。
【請求項４】
請求項３記載のタッチパネルにおいて、
各々の前記検出電極は、複数の前記接続電極のうちの何れか二つの接続電極に共用されており、
前記制御部は、制御本体部をさらに有しており、
前記制御本体部は、前記１サイクル中に、前記検出部の前記信号に基づいて、前記電気信号が変化した複数の前記接続電極のうち二つの接続電極に共用されている前記検出電極に前記検出対象が接近したと判断可能な構成であるタッチパネル。
【請求項５】
請求項１〜４の何れかに記載のタッチパネルにおいて、
前記検出電極は矩形状であるタッチパネル。
【請求項６】
請求項１〜５の何れかに記載のタッチパネルにおいて、
前記検出電極に接続された複数の外部接続部をさらに備えているタッチパネル。
【請求項７】
請求項６記載のタッチパネルにおいて、
前記外部接続部は前記ベースに間隔をあけて設けられた導電ラインであり、
前記導電ラインのうちの少なくとも一つの前記導電ラインが、隣り合う２つの前記検出電極間を通って、前記マトリックスの周辺領域に引き出されるように配置されており、
前記導電ラインのうちの残りの前記導電ラインが、前記周辺領域に配置されているタッチパネル。
【請求項８】
請求項１〜７の何れかに記載のタッチパネルにおいて、
前記接続切替部は、前記サイクル間で、前記検出電極のうちの少なくとも一つを前記検出部に接続可能な構成であり、
前記検出部は、前記一つの検出電極の電気信号を検出し、当該電気信号に対応した信号も出力可能な構成であるタッチパネル。
【請求項９】
請求項３記載のタッチパネルにおいて、
前記接続切替部の前記接続は、前記検出電極のうちの一つを前記検出部に接続することを含み、
前記検出部は、前記検出電極の電気信号を検出し、当該電気信号に対応した信号も出力可能な構成であるタッチパネル。
【発明の詳細な説明】
【技術分野】
【０００１】
本発明は、自己容量測定方式のタッチパネルに関する。
【背景技術】
【０００２】
この種のタッチパネルとしては下記特許文献１および図６に記載されたものがある。図６は、従来例のタッチパネルの概略的平面図である。図６に示すタッチパネルＴ’は、ベース基板１０と、複数の第１、第２電極２０ａ、２０ｂと、図示しない絶縁層と、図示しない制御部を備えている。第１電極２０ａは、ベース基板１０上にＸ方向に間隔をあけて設けられている。絶縁層は、第１電極２０ａを覆うようにベース基板１０上設けられている。第２電極２０ｂは、絶縁層上にＸ方向に直交するＹ方向に間隔をあけて設けられている。すなわち、第１、第２電極２０ａ、２０ｂが格子状に配置されている。第１、第２電極２０ａ、２０ｂのうちの一部の第１、第２電極２０ａ、２０ｂに指（検出対象）が接近すると、当該第１、第２電極２０ａ、２０ｂと指との間の静電容量が各々変化する。この静電容量の変化を制御部が検出することによって、指のタッチ位置が決定されている。
【先行技術文献】
【特許文献】
【０００３】
【特許文献１】特開２０１２−２２１２２０号公報
【発明の概要】
【発明が解決しようとする課題】
【０００４】
各第１、第２電極２０ａ、２０ｂは、複数の菱形の第１、第２電極本体２１ａ、２１ｂと、複数の第１、第２接続部２２ａ、２２ｂとを有している。各第１電極２０ａの第１電極本体２１ａは、ベース基板１０上にＹ方向に間隔をあけて設けられている。各第１電極２０ａの第１接続部２２ａは、Ｙ方向において隣り合う第１電極本体２１ａの角部間を接続している。各第２電極２０ｂの第２電極本体２１ｂは、絶縁層上にＸ方向に間隔をあけて設けられている。各第２電極２０ｂの第２接続部２２ｂは、Ｘ方向において隣り合う第２電極本体２１ｂの角間を接続している。第１、第２電極本体２１ａ、２１ｂは、互いに平面位置的に重ならないように配置されている。このため、第１、第２電極２０ａ、２０ｂの面積が小さくなり、第１、第２電極２０ａ、２０ｂの検出感度が低下している。
【０００５】
本発明は、上記事情に鑑みて創案されたものであって、その目的とするところは、検出感度を向上させることができるタッチパネルを提供することにある。
【課題を解決するための手段】
【０００６】
上記課題を解決するために、本発明の第１タッチパネルは、ベースと、複数の検出電極と、制御部とを備えている。前記検出電極は、前記ベースの面上にマトリックス状に互いに間隔をあけて設けられている。前記制御部は、接続切替部と、検出部とを有している。前記接続切替部は、複数の接続を順次行うことを１サイクルとし、当該サイクルを繰り返すことが可能な構成である。前記接続切替部の前記接続は、各行の前記検出電極が一つの接続電極として機能するように当該各行の前記検出電極を接続することと、各列の前記検出電極が一つの接続電極として機能するように当該各列の前記検出電極を接続することとを含む。前記検出部は、前記接続電極の電気信号を各々検出し、当該電気信号に対応した信号を出力可能な構成である。
【０００７】
このような態様の第１タッチパネルによる場合、各行および各列の複数の検出電極が接続され、一つの接続電極として機能するようになっているので、当該接続電極の面積が大きくなる。よって、当該タッチパネルの検出感度を向上させることができる。
【０００８】
各々の前記検出電極が、複数の前記行のうちの何れか一つの行の前記接続電極と複数の前記列のうちの何れか一つの列の前記接続電極とに共用された構成とすることが可能である。前記制御部は、制御本体部をさらに有する構成とすることが可能である。前記制御本体部は、前記１サイクル中に、前記検出部の前記信号に基づいて、前記電気信号が変化した複数の前記接続電極のうち二つの接続電極に共用されている前記検出電極に前記検出対象が接近したと判断可能な構成とすることが可能である。
【０００９】
このような態様の第１タッチパネルによる場合、検出電極が接続電極として機能するように当該検出電極が接続されたとしても、各検出電極に検出対象が接近したことを検出することができる。しかも、検出部は、接続電極の電気信号を各々検出するようになっているので、各検出電極に検出対象が接近したことを検出するために各検出電極の電気信号を各々検出する場合に比べて、検出時間の短縮を図ることができる。
【００１０】
本発明の第２タッチパネルは、ベースと、複数の検出電極と、制御部とを備えている。前記検出電極は、前記ベースの面上にマトリックス状に互いに間隔をあけて設けられている。前記制御部は、接続切替部と、検出部とを有している。前記接続切替部は、複数の接続を順次行うことを１サイクルとし、当該サイクルを繰り返すことが可能な構成である。前記接続切替部の前記接続は、予め定められた各グループの前記検出電極が一つの接続電極として機能するように当該各グループの前記検出電極を接続することを含む。前記検出部は、前記接続電極の電気信号を各々検出し、当該電気信号に対応した信号を出力可能な構成である。
【００１１】
このような態様の第２タッチパネルによる場合、各グループの複数の検出電極が接続され、一つの接続電極として機能するようになっているので、当該接続電極の面積が大きくなる。よって、当該タッチパネルの検出感度を向上させることができる。
【００１２】
各々の前記検出電極は、複数の前記接続電極のうちの何れか二つの接続電極に共用された構成とすることが可能である。前記制御部は、制御本体部をさらに有する構成とすることが可能である。前記制御本体部は、前記１サイクル中に、前記検出部の前記信号に基づいて、前記電気信号が変化した複数の前記接続電極のうち二つの接続電極に共用されている前記検出電極に前記検出対象が接近したと判断可能な構成とすることが可能である。
【００１３】
このような態様の第２タッチパネルによる場合、検出電極が接続電極として機能するように当該検出電極が接続されたとしても、各検出電極に検出対象が接近したことを検出することができる。しかも、検出部は、接続電極の電気信号を各々検出するようになっているので、各検出電極に検出対象が接近したことを検出するために各検出電極の電気信号を各々検出する場合に比べて、検出時間の短縮を図ることができる。
【００１４】
前記検出電極は矩形状とすることが可能である。このような態様の第１、第２タッチパネルによる場合、矩形状の検出電極がベースの面上にマトリックス状に間隔をあけて設けられていることによって、検出電極間の隙間を小さくすることができる。よって、検出電極の面積をさらに大きくすることができる。その結果、接続電極の面積もさらに大きくなるので、タッチパネルの検出感度をさらに向上させることができる。しかも、前記検出電極が矩形状であるので、タッチパネルの複数の検出電極の中央部の上側部分がなぞられたときの検出対象と前記検出電極との重なり面積と、タッチパネルの複数の検出電極の端部の上側部分がなぞられたときの検出対象と前記検出電極との重なり面積とが大きく相違しない。よって、タッチパネルのリニアリティが向上する。
【００１５】
上記タッチパネルは、前記検出電極に接続された複数の外部接続部をさらに備えた構成とすることが可能である。
【００１６】
前記外部接続部は前記ベースに間隔をあけて設けられた導電ラインとすることが可能である。前記導電ラインのうちの一部の前記導電ラインが、隣り合う２つの前記検出電極間を通って、全ての前記検出電極の周辺領域に引き出されるように配置された構成とすることが可能である。前記導電ラインのうちの残りの前記導電ラインが、前記周辺領域に配置された構成とすることが可能である。
【００１７】
このような態様の第１、第２タッチパネルによる場合、一部の導電ラインが隣り合う２つの検出電極間の隙間を利用して全ての前記検出電極の周辺領域に引き出されている。よって、デッドスペースとなり得る前記隙間を有効利用することができるので、導電ラインのレイアウトが容易になる。
【００１８】
上記第１、第２タッチパネルの前記接続切替部は、前記サイクル間で、前記検出電極のうちの少なくとも一つを前記検出部に接続可能な構成とすることが可能である。前記検出部は、前記一つの検出電極の電気信号を検出し、当該電気信号に対応した信号も出力可能な構成とすることが可能である。
【００１９】
このような態様の第１、第２タッチパネルによる場合、サイクル間で、少なくとも一つの検出電極に検出対象が接近したか否かを検出することができるので、タッチパネルの汎用性が向上する。
【００２０】
上記第２タッチパネルの前記接続切替部の前記接続は、前記検出電極のうちの一つを前記検出部に接続することを含む内容とすることが可能である。前記検出部は、前記検出電極の電気信号を検出し、当該電気信号に対応した信号も出力可能な構成とすることが可能である。
【図面の簡単な説明】
【００２１】
【図１】本発明の実施例１に係るタッチパネルの概略的平面図である。
【図２Ａ】前記タッチパネルの図１中の２Ａ−２Ａ端面図である。
【図２Ｂ】前記タッチパネルの図１中の２Ｂ−２Ｂ部分端面図である。
【図３】前記タッチパネルの検出電極および制御部のブロック図である。
【図４】前記タッチパネルの制御本体部により処理されるプログラムのフローチャートである。
【図５】本発明の実施例２に係るタッチパネルの検出電極および制御部のブロック図である。
【図６】従来例のタッチパネルの概略的平面図である。
【発明を実施するための形態】
【００２２】
以下、本発明の実施例１及び２について説明する。
【実施例１】
【００２３】
まず、本発明の実施例１に係るタッチパネルＴ１について図１〜図４を参照しつつ説明する。このタッチパネルＴ１は、自己容量測定方式のタッチパネルである。タッチパネルＴ１は、ベース１００と、検出電極２００ａ〜２００ｌと、複数の導電ライン３００（外部接続部）と、図示しないカバーパネルと、制御部４００とを備えている。以下、タッチパネルＴ１の各構成要素について詳しく説明する。なお、図１に示すＸはタッチパネルＴ１の幅方向であり且つ検出電極２００ａ〜２００ｌの行方向である。図１に示すＹはタッチパネルＴ１の長さ方向であり且つ検出電極２００ａ〜２００ｌの列方向である。
【００２４】
ベース１００は、図１〜図２Ｂに示すように、絶縁性を有するガラス、絶縁性を有する樹脂プレート又は絶縁性を有する樹脂フィルムで構成されている。ベース１００は透光性を有する構成又は不透明な構成とすることが可能である。
【００２５】
各検出電極２００ａ〜２００ｌは、図１〜図２Ｂに示すように、矩形状の透明導電膜又は導体である。各検出電極２００ａ〜２００ｌは、検出対象（例えば、指）の接近に応じて、当該検出電極２００ａ〜２００ｌと検出対象との間に発生する静電容量が変化可能な構成となっている。なお、前記透明導電膜は、例えば、ＩＴＯ（酸化インジウム＋酸化錫）、ＩＺＯ（酸化インジウム＋酸化亜鉛）、ＡＺＯ（ＡＩドープ酸化亜鉛）又は導電性高分子（ＰＥＤＯＴ又はＰＳＳ）等で構成されている。前記導体は、例えば、感光性銀である。
【００２６】
検出電極２００ａ〜２００ｌは、ベース１００の面上にマトリックス状に互いに間隔をあけて設けられている。すなわち、検出電極２００ａ〜２００ｌは、複数行および複数列で配置されている。本実施例では、検出電極２００ａ、２００ｂおよび２００ｃが第１行に位置している。検出電極２００ｄ、２００ｅおよび２００ｆが第２行に位置している。検出電極２００ｇ、２００ｈおよび２００ｉが第３行に位置している。検出電極２００ｊ、２００ｋおよび２００ｌが第４行に位置している。検出電極２００ａ、２００ｄ、２００ｇおよび２００ｊが第１列に位置している。検出電極２００ｂ、２００ｅ、２００ｈおよび２００ｋが第２列に位置している。検出電極２００ｃ、２００ｆ、２００ｉおよび２００ｌが第３列に位置している。上述の通り、第１行と第１列において、検出電極２００ａが共用されている。第１行と第２列において、検出電極２００ｂが共用されている。第１行と第３列において、検出電極２００ｃが共用されている。第２行と第１列において、検出電極２００ｄが共用されている。第２行と第２列において、検出電極２００ｅが共用されている。第２行と第３列において、検出電極２００ｆが共用されている。第３行と第１列において、検出電極２００ｇが共用されている。第３行と第２列において、検出電極２００ｈが共用されている。第３行と第３列において、検出電極２００ｉが共用されている。第４行と第１列において、検出電極２００ｊが共用されている。第４行と第２列において、検出電極２００ｋが共用されている。第４行と第３列において、検出電極２００ｌが共用されている。検出電極２００ａ〜２００ｌのうち、Ｘ方向又はＹ方向で隣り合う２つの検出電極間には隙間Ｓが生じている。
【００２７】
導電ライン３００は、図１に示すように、長尺状の透明導電膜、金属（例えば、銀（Ａｇ）、モリブデン（Ｍｏ）、アルミニウム（Ａｌ）又は銅（Ｃｕ））、合金（例えば、銀（Ａｇ）、パラジウム（Ｐｄ）および銅（Ｃｕ）の合金）又はメタルワイヤーである。前記透明導電膜は検出電極２００ａ〜２００ｌの透明導電膜と同じ素材で構成することが可能である。導電ライン３００は、ベース１００の面上に間隔をあけて設けられている。導電ライン３００のうちの一部の導電ライン３００は、隣り合う２つの検出電極間（隙間Ｓ）を通って、上記マトリックス（全検出電極２００ａ〜２００ｌ）の周辺領域に引き出されるように配置されている。残りの導電ライン３００が周辺領域に配置されている。導電ライン３００の長さ方向の第１端は検出電極２００ａ〜２００ｌに接続されている。導電ライン３００の長さ方向の第２端は、制御部４００に接続されている。
【００２８】
カバーパネルは、検出電極２００および導電ライン３００を覆うようにベース１００に対向配置されている。カバーパネルは絶縁性を有するガラス、絶縁性を有する樹脂プレート又は絶縁性を有する樹脂フィルムで構成されている。
【００２９】
制御部４００は、タッチパネルＴ１全体を制御する制御回路（制御ＩＣ）である。制御部４００は、図３に示すように、接続切替部４１０と、検出部４２０と、制御本体部４３０と、図示しないメモリとを有している。接続切替部４１０はマルチプレクサである。接続切替部４１０は、複数の入力部および二つの出力部を有している。接続切替部４１０の入力部には、検出電極２００ａ〜２００ｌが各々接続されている。接続切替部４１０の出力部のうち一方の出力部は、検出部４２０に接続されている。他方の出力部はＧＮＤに接続されている。接続切替部４１０は、複数の接続を順次行うことを１サイクルとし、当該サイクルを繰り返し可能な構成となっている。接続切替部４１０の前記接続は、検出電極２００ａ〜２００ｌのうち、各行（各グループ）の検出電極が一つの接続電極として機能するように当該各行（各グループ）の検出電極を接続し、当該接続電極を検出部４２０に接続する一方、当該接続電極を構成する前記検出電極以外の検出電極をＧＮＤに接続することと、検出電極２００ａ〜２００ｌのうち、各列（各グループ）の検出電極が一つの接続電極として機能するように各列（各グループ）の検出電極を接続し、当該接続電極を検出部４２０に接続する一方、当該接続電極を構成する前記検出電極以外の検出電極をＧＮＤに接続することとを含む。本実施例１では、接続切替部４１０の接続は、下記１〜７接続を含む。
【００３０】
第１接続は、接続切替部４１０が、第１行の検出電極２００ａ、２００ｂおよび２００ｃが一つの接続電極（第１行接続電極）として機能するように第１行の検出電極２００ａ、２００ｂおよび２００ｃを接続し、当該接続電極を検出部４２０に接続する一方、検出電極２００ｄ〜２００ｌをＧＮＤに接続することである。第２接続は、接続切替部４１０が、第２行の検出電極２００ｄ、２００ｅおよび２００ｆが一つの接続電極（第２行接続電極）として機能するように第２行の検出電極２００ｄ、２００ｅおよび２００ｆを接続し、当該接続電極を検出部４２０に接続する一方、検出電極２００ａ〜２００ｃおよび２００ｇ〜２００ｌをＧＮＤに接続することである。第３接続は、接続切替部４１０が、第３行の検出電極２００ｇ、２００ｈおよび２００ｉが一つの接続電極（第３行接続電極）として機能するように、第３行の検出電極２００ｇ、２００ｈおよび２００ｉを接続し、当該接続電極を検出部４２０に接続する一方、検出電極２００ａ〜２００ｆおよび２００ｊ〜２００ｌをＧＮＤに接続することである。第４接続は、接続切替部４１０が、第４行の検出電極２００ｊ、２００ｋおよび２００ｌが一つの接続電極（第４行接続電極）として機能するように、第４行の検出電極２００ｊ、２００ｋおよび２００ｌを接続し、当該接続電極を検出部４２０に接続する一方、検出電極２００ａ〜２００ｉをＧＮＤに接続することである。第５接続は、接続切替部４１０が、第１列の検出電極２００ａ、２００ｄ、２００ｇおよび２００ｊが一つの接続電極（第１列接続電極）として機能するように、第１列の検出電極２００ａ、２００ｄ、２００ｇおよび２００ｊを接続し、当該接続電極を検出部４２０に接続する一方、検出電極２００ｂ〜２００ｃ、２００ｅ〜２００ｆ、２００ｈ〜２００ｉおよび２００ｋ〜２００ｌをＧＮＤに接続することである。第６接続は、接続切替部４１０が、第２列の検出電極２００ｂ、２００ｅ、２００ｈおよび２００ｋが一つの接続電極（第２列接続電極）として機能するように、第２列の検出電極２００ｂ、２００ｅ、２００ｈおよび２００ｋを接続し、当該接続電極を検出部４２０に接続する一方、検出電極２００ａ、２００ｃ、２００ｄ、２００ｆ、２００ｇ、２００ｉ、２００ｊおよび２００ｌをＧＮＤに接続することである。第７接続は、接続切替部４１０が、第３列の検出電極２００ｃ、２００ｆ、２００ｉおよび２００ｌが一つの接続電極（第３列接続電極）として機能するように、第３列の検出電極２００ｃ、２００ｆ、２００ｉおよび２００ｌを接続し、当該接続電極を検出部４２０に接続する一方、検出電極２００ａ〜２００ｂ、２００ｄ〜２００ｅ、２００ｇ〜２００ｈおよび２００ｊ〜２００ｋをＧＮＤに接続することである。なお、各検出電極２００ａ〜２００ｌは、上述の通り、複数の上記行のうちの何れか一つの行の接続電極と複数の上記列のうちの何れか一つの列の接続電極とに共用されている。
【００３１】
検出部４２０は、上記接続電極の電気信号（電圧又は電流）を各々検出可能な回路である。検出部は、上記接続電極の電気信号（電圧又は電流）を各々検出し、当該電気信号に応じた信号を制御本体部４３０に各々出力可能な構成である。
【００３２】
制御本体部４３０は、接続切替部４１０および検出部４２０を制御可能な回路であって、接続切替部４１０および検出部４２０に接続されている。制御本体部４３０は、上記メモリに記録されたプログラム（図４参照）を処理することにより、接続切替部４１０および検出部４２０を制御すると共に、検出部４２０の信号に基づいて検出対象がタッチパネルＴ１にタッチした位置を検出する機能を発揮するようになっている。
【００３３】
以下、前記プログラムの内容について図４を参照しつつ詳しく説明する。まず、タッチパネルＴ１の電源がオンにされると、制御本体部４３０が前記プログラムを処理する。すると、制御本体部４３０が、接続切替部４１０に、上記第１〜第７接続を順次行わせる（Ｓ１）。すなわち、制御本体部４３０が、接続切替部４１０に上記１サイクルの接続を行わせる。なお、Ｓ１が繰り返されることによって、接続切替部４１０は、上記１サイクルの接続を繰り返す。
【００３４】
このとき、検出部４２０は、順次入力される接続電極（上記第１行〜第４行接続電極および第１〜第３列接続電極）の電気信号（電圧又は電流）を各々検出し、検出された当該電気信号（電圧又は電流）に対応した信号（第１行〜第４行信号および第１〜第３列信号）を制御本体部４３０に各々出力する（Ｓ２）。
【００３５】
制御本体部４３０は、検出部４２０の第１行〜第４行信号および第１〜第３列信号が入力されると、検出部４２０の第１行〜第４行信号および第１〜第３列信号のうちの複数の信号が変化したか否か（すなわち、複数の接続電極の電気信号が変化したか否か）を判断する（Ｓ３）。その結果、制御本体部４３０が、検出部４２０の複数の信号に変化がない（すなわち、複数の接続電極の電気信号に変化がない）と判断したときには、Ｓ１に戻る。一方、制御本体部４３０が、検出部４２０の複数の信号が変化した（すなわち、複数の接続電極の電気信号が変化した）と判断したときには、変化した信号を用いて所定の演算を行い、当該信号に対応する電気信号の接続電極のうち二つの接続電極に共用されている検出電極に検出対象が接近したと判断する（Ｓ４）。その後、Ｓ１に戻る。このように制御本体部４３０は、前記１サイクル間に、検出部４２０の信号に基づいて、電気信号が変化した複数の接続電極のうちの二つの接続電極に共用されている検出電極に検出対象が接近したと判断している。
【００３６】
以下、上述したタッチパネルＴ１の使用方法について説明する。カバーパネルにおける検出電極２００ａ〜２００ｌのうちの何れか一つの検出電極の上側部分が検出対象にタッチされるとき、検出対象が当該一つの検出電極に接近する。例えば、検出対象が検出電極２００ａに接近すると、１サイクル中に、検出対象と第１行接続電極との間の静電容量が変化し且つ検出対象と第１列接続電極との間の静電容量が変化する。このため、第１行接続電極および第１列接続電極の電気信号（電圧又は電流）の変化が検出部４２０に検出され、検出部４２０の第１行信号および第１列信号が前記電気信号に応じて変化する。制御本体部４３０は、検出部４２０の第１行信号および第１列信号に基づいて、第１行接続電極および第１列接続電極の電気信号が変化したと判断し、第１行接続電極および第１列接続電極に共用されている検出電極２００ａに、検出対象が接近したと判断する。すなわち、制御本体部４３０は、カバーパネルの検出電極２００ａの上側部分がタッチされたと判断する。
【００３７】
カバーパネルにおける複数の検出電極２００ａ〜２００ｌうちの複数の検出電極の間の上側部分が検出対象にタッチされるとき、検出対象が当該複数の検出電極に接近する。例えば、検出対象が検出電極２００ａと検出電極２００ｂとに接近すると、１サイクル中に、検出対象と第１行接続電極との間の静電容量が変化し、検出対象と第１列接続電極との間の静電容量が変化し且つ検出対象と第２列接続電極との間の静電容量が変化する。このため、第１行接続電極、第１列接続電極および第２列接続電極の電気信号（電圧又は電流）の変化が検出部４２０に検出され、検出部４２０の第１行信号、第１列信号および第２列信号が前記電気信号に応じて変化する。制御本体部４３０は、検出部４２０の第１行信号、第１列信号および第２列信号に基づいて、第１行接続電極、第１列接続電極および第２列接続電極の電気信号が変化したと判断し、第１行接続電極、第１列接続電極および第２列接続電極のうち二つの接続電極に共用されている検出電極２００ａおよび検出電極２００ｂとに検出対象が接近したと判断する。すなわち、制御本体部４３０は、カバーパネルの検出電極２００ａおよび検出電極２００ｂとの間の部分がタッチされたと判断する。
【００３８】
また、検出対象が検出電極２００ａ、２００ｂ、２００ｄおよび２００ｅに接近すると、１サイクル内に、検出対象と第１行接続電極との間の静電容量が変化し、検出対象と第２行接続電極との間の静電容量が変化し、検出対象と第１列接続電極との間の静電容量が変化し且つ検出対象と第２列接続電極との間の静電容量が変化する。このため、第１行接続電極、第２行接続電極、第１列接続電極および第２列接続電極の電気信号（電圧又は電流）の変化が検出部４２０に検出され、検出部４２０の第１行信号、第２行信号、第１列信号および第２列信号が前記電気信号に応じて変化する。制御本体部４３０は、検出部４２０の第１行信号、第２行信号、第１列信号および第２列信号に基づいて、第１行接続電極、第２行接続電極、第１列接続電極および第２列接続電極の電気信号が変化したと判断し、第１行接続電極、第２行接続電極、第１列接続電極および第２列接続電極のうち二つの接続電極に共用されている検出電極２００ａ、２００ｂ、２００ｄおよび２００ｅに、検出対象が接近したと判断する。すなわち、制御本体部４３０は、カバーパネルの検出電極２００ａ、２００ｂ、２００ｄおよび２００ｅの間の部分がタッチされたと判断する。
【００３９】
カバーパネルが検出対象になぞられるとき、検出対象が当該複数の検出電極に順次接近する。例えば、カバーパネルの検出電極２００ａ、２００ｂおよび２００ｃの上側部分が検出対象にＸ方向になぞられるとき、検出対象が検出電極２００ａ、２００ｂおよび２００ｃに順次接近する。すると、１又は複数のサイクル内に、検出対象と第１行接続電極との間の静電容量が変化し且つ検出対象と第１列接続電極との間の静電容量が変化する。このため、第１行接続電極および第１列接続電極の電気信号（電圧又は電流）の変化が検出部４２０に検出され、検出部４２０の第１行信号および第１列信号が前記電気信号に応じて変化する。制御本体部４３０は、検出部４２０の第１行信号および第１列信号に基づいて、第１行接続電極および第１列接続電極の電気信号が変化したと判断し、第１行接続電極および第１列接続電極に共用されている検出電極２００ａに、検出対象が接近したと判断する。前記サイクルの後の１又は複数のサイクル内に、検出対象と第１行接続電極との間の静電容量が変化し且つ検出対象と第２列接続電極との間の静電容量が変化する。このため、第１行接続電極および第２列接続電極の電気信号（電圧又は電流）の変化が検出部４２０に検出され、検出部４２０の第１行信号および第２列信号が前記電気信号に応じて変化する。制御本体部４３０は、検出部４２０の第１行信号および第２列信号に基づいて、第１行接続電極および第２列接続電極の電気信号が変化したと判断し、第１行接続電極および第２列接続電極に共用されている検出電極２００ｂに、検出対象が接近したと判断する。前記サイクルの後の１又は複数のサイクル中に、検出対象と第１行接続電極との間の静電容量が変化し且つ検出対象と第３列接続電極との間の静電容量が変化する。このため、第１行接続電極および第３列接続電極の電気信号（電圧又は電流）の変化が検出部４２０に検出され、検出部４２０の第１行信号および第３列信号が前記電気信号に応じて変化する。制御本体部４３０は、検出部４２０の第１行信号および第３列信号に基づいて、第１行接続電極および第３列接続電極の電気信号が変化したと判断し、第１行接続電極および第３列接続電極に共用されている検出電極２００ｃに、検出対象が接近したと判断する。以上の通り、制御本体部４３０は、カバーパネルの検出電極２００ａ、２００ｂおよび２００ｃの上側部分が検出対象にＸ方向になぞられたと判断する。
【００４０】
また、カバーパネルの検出電極２００ａ、２００ｄ、２００ｇおよび２００ｊの上側部分が検出対象にＹ方向になぞられるとき、検出対象が検出電極２００ａ、２００ｄ、２００ｇおよび２００ｊに順次接近する。すると、１又は複数のサイクル中に、検出対象と第１行接続電極との間の静電容量が変化し且つ検出対象と第１列接続電極との間の静電容量が変化する。このため、第１行接続電極および第１列接続電極の電気信号（電圧又は電流）の変化が検出部４２０に検出され、検出部４２０の第１行信号および第１列信号が前記電気信号に応じて変化する。制御本体部４３０は、検出部４２０の第１行信号および第１列信号に基づいて、第１行接続電極および第１列接続電極の電気信号が変化したと判断し、第１行接続電極および第１列接続電極に共用されている検出電極２００ａに、検出対象が接近したと判断する。前記サイクルの後の１又は複数のサイクル中に、検出対象と第２行接続電極との間の静電容量が変化し且つ検出対象と第１列接続電極との間の静電容量が変化する。このため、第２行接続電極および第１列接続電極の電気信号（電圧又は電流）の変化が検出部４２０に検出され、検出部４２０の第２行信号および第１列信号が前記電気信号に応じて変化する。制御本体部４３０は、検出部４２０の第２行信号および第１列信号に基づいて、第２行接続電極および第１列接続電極の電気信号が変化したと判断し、第２行接続電極および第１列接続電極に共用されている検出電極２００ｄに、検出対象が接近したと判断する。前記サイクルの後の１又は複数のサイクル中に、検出対象と第３行接続電極との間の静電容量が変化し且つ検出対象と第１列接続電極との間の静電容量が変化する。このため、第３行接続電極および第１列接続電極の電気信号（電圧又は電流）の変化が検出部４２０に検出され、検出部４２０の第３行信号および第１列信号が前記電気信号に応じて変化する。制御本体部４３０は、検出部４２０の第３行信号および第１列信号に基づいて、第３行接続電極および第１列接続電極の電気信号が変化したと判断し、第３行接続電極および第１列接続電極に共用されている検出電極２００ｇに、検出対象が接近したと判断する。前記サイクルの後の１又は複数のサイクル中に、検出対象と第４行接続電極との間の静電容量が変化し且つ検出対象と第１列接続電極との間の静電容量が変化する。このため、第４行接続電極および第１列接続電極の電気信号（電圧又は電流）の変化が検出部４２０に検出され、検出部４２０の第４行信号および第１列信号が前記電気信号に応じて変化する。制御本体部４３０は、検出部４２０の第４行信号および第１列信号に基づいて、第４行接続電極および第１列接続電極の電気信号が変化したと判断し、第４行接続電極および第１列接続電極に共用されている検出電極２００ｊに、検出対象が接近したと判断する。以上の通り、制御本体部４３０は、カバーパネルの検出電極２００ａ、２００ｄ、２００ｇおよび２００ｊの上側部分が検出対象にＹ方向になぞられたと判断する。
【００４１】
また、カバーパネルの検出電極２００ａ、２００ｅ、２００ｈおよび２００ｌの上側部分が検出対象になぞられるとき、検出対象が検出電極２００ａ、２００ｅ、２００ｈおよび２００ｌに順次接近する。すると、１又は複数サイクルの接続中に、検出対象と第１行接続電極との間の静電容量が変化し且つ検出対象と第１列接続電極との間の静電容量が変化する。このため、第１行接続電極および第１列接続電極の電気信号（電圧又は電流）の変化が検出部４２０に検出され、検出部４２０の第１行信号および第１列信号が前記電気信号に応じて変化する。制御本体部４３０は、検出部４２０の第１行信号および第１列信号に基づいて、第１行接続電極および第１列接続電極の電気信号が変化したと判断し、第１行接続電極および第１列接続電極に共用されている検出電極２００ａに、検出対象が接近したと判断する。前記サイクルの後の１又は複数サイクル中に、検出対象と第２行接続電極との間の静電容量が変化し且つ検出対象と第２列接続電極との間の静電容量が変化する。このため、第２行接続電極および第２列接続電極の電気信号（電圧又は電流）の変化が検出部４２０に検出され、検出部４２０の第２行信号および第２列信号が前記電気信号に応じて変化する。制御本体部４３０は、検出部４２０の第２行信号および第２列信号に基づいて、第２行接続電極および第２列接続電極の電気信号が変化したと判断し、第２行接続電極および第２列接続電極に共用されている検出電極２００ｅに、検出対象が接近したと判断する。前記サイクルの後の１又は複数サイクル中に、検出対象と第３行接続電極との間の静電容量が変化し且つ検出対象と第２列接続電極との間の静電容量が変化する。このため、第３行接続電極および第２列接続電極の電気信号（電圧又は電流）の変化が検出部４２０に検出され、検出部４２０の第３行信号および第２列信号が前記電気信号に応じて変化する。制御本体部４３０は、検出部４２０の第３行信号および第２列信号に基づいて、第３行接続電極および第２列接続電極の電気信号が変化したと判断し、第３行接続電極および第２列接続電極に共用されている検出電極２００ｈに、検出対象が接近したと判断する。前記サイクルの後の１又は複数サイクルの接続中に、検出対象と第４行接続電極との間の静電容量が変化し且つ検出対象と第３列接続電極との間の静電容量が変化する。このため、第４行接続電極および第３列接続電極の電気信号（電圧又は電流）の変化が検出部４２０に検出され、検出部４２０の第４行信号および第３列信号が前記電気信号に応じて変化する。制御本体部４３０は、検出部４２０の第４行信号および第３列信号に基づいて、第４行接続電極および第３列接続電極の電気信号が変化したと判断し、第４行接続電極および第３列接続電極に共用されている検出電極２００ｌに、検出対象が接近したと判断する。以上の通り、制御本体部４３０は、カバーパネルの検出電極２００ａ、２００ｅ、２００ｈおよび２００ｌの上側部分が検出対象になぞられたと判断する。
【００４２】
以上のようなタッチパネルＴ１は、次の技術的特徴を有する。第１に、タッチパネルＴ１の検出感度を向上させることができる。なぜなら、検出電極２００ａ〜２００ｌが行毎および列毎に接続切替部４１０に接続され、第１〜第４行接続電極および第１〜第３列接続電極として機能するようになっているため、第１〜第４行接続電極および第１〜第３列接続電極の面積が大きくなるからである。
【００４３】
第２に、タッチパネルＴ１のリニアリティが向上する。なぜなら、矩形状の検出電極２００ａ〜２００ｌがベース１００の同じ面上にマトリックス状に小さな隙間Ｓをあけて設けられているので、下記第１重なり面積と下記第２重なり面積との差が小さくなるからである。前記第１重なり面積は、タッチパネルＴ１の検出電極２００ａ〜２００ｌのうちの一部の検出電極（例えば、各行又は各列の検出電極）の中央部の上側部分がなぞられるときの検出対象と当該一部の検出電極とが平面位置的に重なる面積である。前記第２重なり面積は、タッチパネルＴ１の検出電極２００ａ〜２００ｌのうちの一部の検出電極の端部の上側部分がなぞられるときの検出対象と当該一部の検出電極とが平面位置的に重なる面積である。例えば、タッチパネルＴ１が図１のＬ１で示すようになぞられるときの第１重なり面積（検出対象と検出電極２００ａ〜２００ｃとが平面位置的に重なる面積）と、タッチパネルＴ１が図１のＬ２に示すようになぞられるときの第２重なり面積（検出対象と検出電極２００ａ〜２００ｆとが平面位置的に重なる面積）との差が小さい。一方、従来例のタッチパネルＴ’が図６のＬ３に示すようになぞられるときの第１重なり面積（検出対象と第１、第２電極２０ａ、２０ｂとが平面位置的に重なる面積）と、タッチパネルＴ’が図６のＬ４に示すようになぞられるときの第２重なり面積（検出対象と第１、第２電極２０ａ、２０ｂとが平面位置的に重なる面積）との差が大きい。以上のことから、タッチパネルＴ１はタッチパネルＴ’よりもリニアリティが向上していることが明らかである。
【００４４】
第３に、接続切替部４１０によって、検出電極２００ａ〜２００ｌが接続電極として機能するように当該検出電極２００ａ〜２００ｌが接続されたとしても、各検出電極２００ａ〜２００ｌに検出対象が接近したことを検出することができる。なぜなら、制御本体部４３０が、１サイクル中に、検出部４２０の信号に基づいて、電気信号が変化した複数の接続電極のうち二つの接続電極に共用されている検出電極に検出対象が接近したと判断するからである。第４に、検出部４２０が、接続電極の電気信号を各々検出するようになっているので、各検出電極に検出対象が接近したことを検出するために検出電極の電気信号を各々検出する場合に比べて、検出時間の短縮を図ることができる。第５に、一部の導電ライン３００が隣り合う検出電極２００間の隙間Ｓを通って上記周辺領域に引き出されているので、導電ライン３００をベース１００の面上に容易にレイアウトすることができる。換言すると、デッドスペースである隙間Ｓが導電ライン３００の配線領域に用いられているので、導電ライン３００をベース１００の面上に容易にレイアウトすることができる。
【実施例２】
【００４５】
次に、本発明の実施例２に係るタッチパネルＴ２について図５を参照しつつ説明する。このタッチパネルＴ２は、自己容量測定方式のタッチパネルである。タッチパネルＴ２は、次の相違点で相違する以外、タッチパネルＴ１と同じ構成である。第１相違点はタッチパネルＴ２の接続切替部４１０’の接続が、タッチパネルＴ１接続切替部４１０’の接続と相違することである。第２相違点は制御部４００’の検出部４２０’および制御本体部４３０’の構成がタッチパネルＴ１の制御部４００’の検出部４２０’および制御本体部４３０’の構成と相違することである。以下、これらの相違点についてのみ詳しく説明し、実施例１と重複する説明は省略する。なお、タッチパネルＴ２の制御部およびそのサブエレメントの符号については、’を付してタッチパネルＴ２の制御部およびそのサブエレメントと区別する。
【００４６】
制御部４００’の接続切替部４１０’は、下記の複数の接続を順次行うことを１サイクルとし、当該サイクルを繰り返すことが可能な構成である。接続切替部４１０’の前記接続は、検出電極２００ａ〜２００ｌのうち、予め定められた各グループの検出電極が一つの接続電極として機能するように当該各グループの前記検出電極を接続し、当該接続電極を検出部４２０に接続する一方、当該接続電極を構成する前記検出電極以外の検出電極をＧＮＤに接続することを含む。本実施例２では、接続切替部４１０’の前記接続は、下記第１〜第１２の接続を含む。
【００４７】
第１接続は、接続切替部４１０’が、第１グループの検出電極２００ａを検出部４２０’に接続する一方、検出電極２００ｂ〜２００ｌをＧＮＤに接続することである。第２接続は、接続切替部４１０’が、第２グループの検出電極２００ｂおよび２００ｄが一つの接続電極（第２接続電極）として機能するように第２グループの検出電極２００ｂおよび２００ｄを接続し、当該接続電極を検出部４２０’に接続する一方、検出電極２００ａ、２００ｃ、２００ｅ〜２００ｌをＧＮＤに接続することである。第３接続は、接続切替部４１０’が、第３グループの検出電極２００ｃ、２００ｅおよび２００ｇが一つの接続電極（第３接続電極）として機能するように第３グループの検出電極２００ｃ、２００ｅおよび２００ｇを接続し、当該接続電極を検出部４２０’に接続する一方、検出電極２００ａ、２００ｂ、２００ｄ、２００ｆおよび２００ｈ〜２００ｌをＧＮＤに接続することである。第４接続は、接続切替部４１０’が、第４グループの検出電極２００ｆ、２００ｈおよび２００ｊが一つの接続電極（第４接続電極）として機能するように、第４グループの検出電極２００ｆ、２００ｈおよび２００ｊを接続し、当該接続電極を検出部４２０’に接続する一方、検出電極２００ａ〜２００ｅ、２００ｇ、２００ｉおよび２００ｋ〜２００ｌをＧＮＤに接続することである。第５接続は、接続切替部４１０’が、第５グループの検出電極２００ｉおよび２００ｋが一つの接続電極（第５接続電極）として機能するように、第５グループの検出電極ｉおよび２００ｋを接続し、当該接続電極を検出部４２０’に接続する一方、検出電極２００ａ〜２００ｈ、２００ｊおよび２００ｌをＧＮＤに接続することである。第６接続は、接続切替部４１０’が、第６グループの検出電極２００ｌを検出部４２０’に接続する一方、検出電極２００ａ〜２００ｋをＧＮＤに接続することである。第７接続は、接続切替部４１０’が、第７グループの検出電極２００ｃを検出部４２０’に接続する一方、検出電極２００ａ〜２００ｂおよび２００ｄ〜２００ｌをＧＮＤに接続することである。第８接続は、接続切替部４１０’が、第８グループの検出電極２００ｂおよび２００ｆが一つの接続電極（第８接続電極）として機能するように第８グループの検出電極２００ｂおよび２００ｆを接続し、当該接続電極を検出部４２０’に接続する一方、検出電極２００ａ、２００ｃ、２００ｄ、２００ｅおよび２００ｇ〜２００ｌをＧＮＤに接続することである。第９接続は、接続切替部４１０’が、第９グループの検出電極２００ａ、２００ｅおよび２００ｉが一つの接続電極（第９接続電極）として機能するように第９グループの検出電極２００ａ、２００ｅおよび２００ｉを接続し、当該接続電極を検出部４２０’に接続する一方、検出電極２００ｂ〜２００ｄ、２００ｆ、２００ｇ、２００ｈおよび２００ｊ〜２００ｌをＧＮＤに接続することである。第１０接続は、接続切替部４１０’が、第１０グループの検出電極２００ｄ、２００ｈおよび２００ｌが一つの接続電極（第１０接続電極）として機能するように、第１０グループの検出電極２００ｄ、２００ｈおよび２００ｌを接続し、当該接続電極を検出部４２０’に接続する一方、検出電極２００ａ〜２００ｃ、２００ｅ〜２００ｇおよび２００ｉ〜２００ｋをＧＮＤに接続することである。第１１接続は、接続切替部４１０’が、第１１グループの検出電極２００ｇおよび２００ｋが一つの接続電極（第１１接続電極）として機能するように、第１１グループの検出電極２００ｇおよび２００ｋを接続し、当該接続電極を検出部４２０’に接続する一方、検出電極２００ａ〜２００ｆ、２００ｈ〜２００ｊおよび２００ｌをＧＮＤに接続することである。第１２接続は、接続切替部４１０’が、第１２グループの検出電極２００ｊを検出部４２０’に接続する一方、検出電極２００ａ〜２００ｉおよび２００ｋ〜２００ｌをＧＮＤに接続することである。上述の通り、各検出電極２００ｂ、２００ｄ〜２００ｉおよび２００ｋは、複数の上記接続電極のうち二つの接続電極に共用されている。
【００４８】
制御部４００’の検出部４２０’は、第１、第６、第７および第１２接続時に、検出電極の電気信号を検出し、当該電気信号に対応した第１、第６、第７および第１２信号を出力する一方、第２〜第５および第８〜第１１接続時に接続電極の電気信号を各々検出し、当該電気信号に対応した第２〜第５および第８〜第１１信号を出力する構成となっている。
【００４９】
制御部４００’の制御本体部４３０’は、接続切替部４１０’および検出部４２０’を制御可能な回路である。制御本体部４３０’は、制御部４００’の図示しないメモリに記録されたプログラムを処理することにより、接続切替部４１０’および検出部４２０’を制御すると共に、検出部４２０’の信号に基づいて検出対象がタッチパネルＴ２にタッチした位置を検出する機能を発揮するようになっている。
【００５０】
以下、前記プログラムの内容について図４を借りて参照しつつ説明する。まず、タッチパネルＴ２の電源がオンにされると、制御本体部４３０’が前記プログラムを処理する。すると、制御本体部４３０’が、接続切替部４１０’に、上記第１〜第１２接続を順次行わせる（Ｓ１）。すなわち、制御本体部４３０’が、接続切替部４１０’に上記１サイクルの接続を行わせる。なお、Ｓ１が繰り返されることによって、接続切替部４１０’は、上記１サイクルの接続を繰り返す。
【００５１】
このとき、検出部４２０’は、順次入力される検出電極および接続電極の電気信号（電圧又は電流）を各々検出し、検出された当該電気信号（電圧又は電流）に対応した信号（第１〜第１２信号）を制御本体部４３０’に各々出力する（Ｓ２）。
【００５２】
制御本体部４３０’は、検出部４２０’の第１〜第１２信号が入力されると、検出部４２０’の第１〜第１２信号のうちの複数の信号が変化したか否かを判断する（Ｓ３）。その結果、制御本体部４３０’が、検出部４２０’の複数の信号に変化がないと判断したときには、Ｓ１に戻る。一方、制御本体部４３０’が、検出部４２０’の複数の信号が変化したと判断したときには、変化した信号を用いて所定の演算を行い、当該信号に対応する電気信号の接続電極のうち二つの接続電極に共用されている検出電極に検出対象が接近したと判断する又は当該信号に対応する電気信号の検出電極および接続電極のうち二つの電極に共用されている検出電極に検出対象が接近したと判断する（Ｓ４）。その後、Ｓ１に戻る。このように制御本体部４３０’は、前記１サイクル間に、検出部４２０’の信号に基づいて、電気信号が変化した複数の接続電極に共用されている検出電極、又は検出電極および接続電極に共用されている検出電極に検出対象が接近したと判断している。
【００５３】
以下、上述したタッチパネルＴ２の使用方法について説明する。カバーパネルにおける検出電極２００ａ〜２００ｌのうちの何れか一つの検出電極の上側部分が検出対象にタッチされるとき、検出対象が当該一つの検出電極に接近する。例えば、検出対象が検出電極２００ｅに接近すると、１サイクル中に、検出対象と第３接続電極との間の静電容量が変化し且つ検出対象と第９接続電極との間の静電容量が変化する。このため、第３接続電極および第９接続電極の電気信号（電圧又は電流）の変化が検出部４２０’に検出され、検出部４２０’の第３信号および第９信号が前記電気信号に応じて変化する。制御本体部４３０’は、検出部４２０’の第３信号および第９信号に基づいて、第３接続電極および第９接続電極の電気信号が変化したと判断し、第３接続電極および第９接続電極に共用されている検出電極２００ｅに、検出対象が接近したと判断する。すなわち、制御本体部４３０’は、カバーパネルの検出電極２００ｅの上側部分がタッチされたと判断する。
【００５４】
検出対象が検出電極２００ａに接近すると、１サイクル中に、検出対象と検出電極２００ａとの間の静電容量が変化し且つ検出対象と第９接続電極との間の静電容量が変化する。このため、検出電極２００ａおよび第９接続電極の電気信号（電圧又は電流）の変化が検出部４２０’に検出され、検出部４２０’の第１信号および第９信号が前記電気信号に応じて変化する。制御本体部４３０’は、検出部４２０’の第１信号および第９信号に基づいて、検出電極２００ａおよび第９接続電極の電気信号が変化したと判断し、検出電極２００ａおよび第９接続電極に共用されている検出電極２００ａに、検出対象が接近したと判断する。すなわち、制御本体部４３０’は、カバーパネルの検出電極２００ａの上側部分がタッチされたと判断する。
【００５５】
カバーパネルにおける複数の検出電極２００ａ〜２００ｌうちの複数の検出電極の間の上側部分が検出対象にタッチされるとき、検出対象が当該複数の検出電極に接近する。例えば、検出対象が検出電極２００ｂと検出電極２００ｅとに接近すると、１サイクル中に、検出対象と第２接続電極との間の静電容量が変化し、検出対象と第３接続電極との間の静電容量が変化し、検出対象と第８接続電極との間の静電容量が変化し且つ検出対象と第９接続電極との間の静電容量が変化する。このため、第２接続電極、第３接続電極、第８接続電極および第９接続電極の電気信号（電圧又は電流）の変化が検出部４２０’に検出され、検出部４２０’の第２信号、第３信号、第８信号および第９信号が前記電気信号に応じて変化する。制御本体部４３０’は、検出部４２０’の第２信号、第３信号、第８信号および第９信号に基づいて、第２接続電極、第３接続電極、第８接続電極および第９接続電極の電気信号が変化したと判断し、第２接続電極、第３接続電極、第８接続電極および第９接続電極のうちの二つの接続電極に共用されている検出電極２００ｂおよび検出電極２００ｅとに検出対象が接近したと判断する。すなわち、制御本体部４３０’は、カバーパネルの検出電極２００ｂおよび検出電極２００ｅとの間の部分がタッチされたと判断する。
【００５６】
検出対象が検出電極２００ａと検出電極２００ｂとに接近すると、１サイクル中に、検出対象と検出電極２００ａとの間の静電容量が変化し、検出対象と第２接続電極との間の静電容量が変化し、検出対象と第８接続電極との間の静電容量が変化し且つ検出対象と第９接続電極との間の静電容量が変化する。このため、検出電極２００ａ、第２接続電極、第８接続電極および第９接続電極の電気信号（電圧又は電流）の変化が検出部４２０’に検出され、検出部４２０’の第１信号、第２信号、第８信号および第９信号が前記電気信号に応じて変化する。制御本体部４３０’は、検出部４２０’の第１信号、第２信号、第８信号および第９に基づいて、検出電極２００ａ、第２接続電極、第８接続電極および第９接続電極の電気信号が変化したと判断し、検出電極２００ａ、第２接続電極、第８接続電極および第９接続電極のうちの二つの電極に共用されている検出電極２００ａおよび検出電極２００ｂとに検出対象が接近したと判断する。すなわち、制御本体部４３０’は、カバーパネルの検出電極２００ａおよび検出電極２００ｂとの間の部分がタッチされたと判断する。
【００５７】
検出対象が検出電極２００ｅ、２００ｆ、２００ｈおよび２００ｉに接近すると、１サイクル内に、検出対象と第３接続電極との間の静電容量が変化し、検出対象と第４接続電極との間の静電容量が変化し、検出対象と第５接続電極との間の静電容量が変化し、検出対象と第８接続電極との間の静電容量が変化し、検出対象と第９接続電極との間の静電容量が変化し且つ検出対象と第１０接続電極との間の静電容量が変化する。このため、第３接続電極、第４接続電極、第５接続電極、第８接続電極、第９接続電極および第１０接続電極の電気信号（電圧又は電流）の変化が検出部４２０’に検出され、検出部４２０’の第３信号、第４信号、第５信号、第８信号、第９信号および第１０信号が前記電気信号に応じて変化する。制御本体部４３０’は、検出部４２０’の第３信号、第４信号、第５信号、第８信号、第９信号および第１０信号に基づいて、第３接続電極、第４接続電極、第５接続電極、第８接続電極、第９接続電極および第１０接続電極の電気信号が変化したと判断し、第３接続電極、第４接続電極、第５接続電極、第８接続電極、第９接続電極および第１０接続電極のうち２つの接続電極に共用されている２００ｅ、２００ｆ、２００ｈおよび２００ｉに、検出対象が接近したと判断する。すなわち、制御本体部４３０’は、カバーパネルの検出電極２００ｅ、２００ｆ、２００ｈおよび２００ｉの間の部分がタッチされたと判断する。
【００５８】
検出対象が検出電極２００ａ、２００ｂ、２００ｄおよび２００ｅに接近すると、１サイクル内に、検出対象と検出電極２００ａとの間の静電容量が変化し、検出対象と第２接続電極との間の静電容量が変化し、検出対象と第３接続電極との間の静電容量が変化し、検出対象と第８接続電極との間の静電容量が変化し、検出対象と第９接続電極との間の静電容量が変化し且つ検出対象と第１０接続電極との間の静電容量が変化する。このため、検出電極２００ａ、第２接続電極、第３接続電極、第８接続電極、第９接続電極および第１０接続電極の電気信号（電圧又は電流）の変化が検出部４２０’に検出され、検出部４２０’の第１信号、第２信号、第３信号、第８信号、第９信号および第１０信号が前記電気信号に応じて変化する。制御本体部４３０’は、検出部４２０’の第１信号、第２信号、第３信号、第８信号、第９信号および第１０信号に基づいて、検出電極２００ａ、第２接続電極、第３接続電極、第８接続電極、第９接続電極および第１０接続電極の電気信号が変化したと判断し、検出電極２００ａ、第２接続電極、第３接続電極、第８接続電極、第９接続電極および第１０接続電極のうち２つの電極に共用されている検出電極２００ａ、２００ｂ、２００ｄおよび２００ｅに、検出対象が接近したと判断する。すなわち、制御本体部４３０’は、カバーパネルの検出電極２００ａ、２００ｂ、２００ｄおよび２００ｅの間の部分がタッチされたと判断する。
【００５９】
カバーパネルが検出対象になぞられるとき、検出対象が当該複数の検出電極に順次接近する。例えば、カバーパネルの検出電極２００ａ、２００ｂおよび２００ｃの上側部分が検出対象にＸ方向になぞられるとき、検出対象が検出電極２００ａ、２００ｂおよび２００ｃに順次接近する。すると、１又は複数のサイクル内に、検出対象と検出電極２００ａとの間の静電容量が変化し且つ検出対象と第９接続電極との間の静電容量が変化する。このため、検出電極２００ａおよび第９接続電極の電気信号（電圧又は電流）の変化が検出部４２０’に検出され、検出部４２０’の第１信号および第９信号が前記電気信号に応じて変化する。制御本体部４３０’は、検出部４２０’の第１信号および第９信号に基づいて、検出電極２００ａおよび第９接続電極の電気信号が変化したと判断し、検出電極２００ａおよび第９接続電極に共用されている検出電極２００ａに、検出対象が接近したと判断する。前記サイクルの後の１又は複数のサイクル内に、検出対象と第２接続電極との間の静電容量が変化し且つ検出対象と第８接続電極との間の静電容量が変化する。このため、第２接続電極および第８接続電極の電気信号（電圧又は電流）の変化が検出部４２０’に検出され、検出部４２０’の第２信号および第８信号が前記電気信号に応じて変化する。制御本体部４３０’は、検出部４２０’の第２信号および第８信号に基づいて、第２接続電極および第８接続電極の電気信号が変化したと判断し、第２接続電極および第８接続電極に共用されている検出電極２００ｂに、検出対象が接近したと判断する。前記サイクルの後の１又は複数のサイクル中に、検出対象と第３接続電極との間の静電容量が変化し且つ検出対象と検出電極２００ｃとの間の静電容量が変化する。このため、第３接続電極および検出電極２００ｃの電気信号（電圧又は電流）の変化が検出部４２０’に検出され、検出部４２０’の第３信号および第７信号が前記電気信号に応じて変化する。制御本体部４３０’は、検出部４２０’の第３信号および第７信号に基づいて、第３接続電極および検出電極２００ｃの電気信号が変化したと判断し、第３接続電極および検出電極２００ｃの共用である検出電極２００ｃに、検出対象が接近したと判断する。以上の通り、制御本体部４３０’は、カバーパネルの検出電極２００ａ、２００ｂおよび２００ｃの上側部分が検出対象にＸ方向になぞられたと判断する。
【００６０】
また、カバーパネルの検出電極２００ａ、２００ｄ、２００ｇおよび２００ｊの上側部分が検出対象にＹ方向になぞられるとき、検出対象が検出電極２００ａ、２００ｄ、２００ｇおよび２００ｊに順次接近する。すると、１又は複数のサイクル内に、検出対象と検出電極２００ａとの間の静電容量が変化し且つ検出対象と第９接続電極との間の静電容量が変化する。このため、検出電極２００ａおよび第９接続電極の電気信号（電圧又は電流）の変化が検出部４２０’に検出され、検出部４２０’の第１信号および第９信号が前記電気信号に応じて変化する。制御本体部４３０’は、検出部４２０’の第１信号および第９信号に基づいて、検出電極２００ａおよび第９接続電極の電気信号が変化したと判断し、検出電極２００ａおよび第９接続電極に共用されている検出電極２００ａに、検出対象が接近したと判断する。前記サイクルの後の１又は複数のサイクル中に、検出対象と第８接続電極との間の静電容量が変化し且つ検出対象と第１０接続電極との間の静電容量が変化する。このため、第８接続電極および第１０接続電極の電気信号（電圧又は電流）の変化が検出部４２０’に検出され、検出部４２０’の第８信号および第１０信号が前記電気信号に応じて変化する。制御本体部４３０’は、検出部４２０’の第８信号および第１０信号に基づいて、第８接続電極および第１０接続電極の電気信号が変化したと判断し、第８接続電極および第１０接続電極に共用されている検出電極２００ｄに、検出対象が接近したと判断する。前記サイクルの後の１又は複数のサイクル中に、検出対象と第３接続電極との間の静電容量が変化し且つ検出対象と第１１接続電極との間の静電容量が変化する。このため、第３接続電極および第１１接続電極の電気信号（電圧又は電流）の変化が検出部４２０’に検出され、検出部４２０’の第３信号および第１１信号が前記電気信号に応じて変化する。制御本体部４３０’は、検出部４２０’の第３信号および第１１信号に基づいて、第３接続電極および第１１接続電極の電気信号が変化したと判断し、第３接続電極および第１１接続電極に共用されている検出電極２００ｇに、検出対象が接近したと判断する。前記サイクルの後の１又は複数のサイクル中に、検出対象と第４接続電極との間の静電容量が変化し且つ検出対象と検出電極２００ｊとの間の静電容量が変化する。このため、第４接続電極および検出電極２００ｊの電気信号（電圧又は電流）の変化が検出部４２０’に検出され、検出部４２０’の第４信号および第１２信号が前記電気信号に応じて変化する。制御本体部４３０’は、検出部４２０’の第４信号および第１２信号に基づいて、第４接続電極および検出電極２００ｊの電気信号が変化したと判断し、第４接続電極および検出電極２００ｊの共用である検出電極２００ｊに、検出対象が接近したと判断する。以上の通り、制御本体部４３０’は、カバーパネルの検出電極２００ａ、２００ｄ、２００ｇおよび２００ｊの上側部分が検出対象にＸ方向になぞられたと判断する。
【００６１】
また、カバーパネルの検出電極２００ａ、２００ｅ、２００ｈおよび２００ｌの上側部分が検出対象になぞられるとき、検出対象が検出電極２００ａ、２００ｅ、２００ｈおよび２００ｌに順次接近する。すると、１又は複数のサイクル内に、検出対象と検出電極２００ａとの間の静電容量が変化し且つ検出対象と第９接続電極との間の静電容量が変化する。このため、検出電極２００ａおよび第９接続電極の電気信号（電圧又は電流）の変化が検出部４２０’に検出され、検出部４２０’の第１信号および第９信号が前記電気信号に応じて変化する。制御本体部４３０’は、検出部４２０’の第１信号および第９信号に基づいて、検出電極２００ａおよび第９接続電極の電気信号が変化したと判断し、検出電極２００ａおよび第９接続電極に共用されている検出電極２００ａに、検出対象が接近したと判断する。前記サイクルの後の１又は複数サイクル中に、検出対象と第３接続電極との間の静電容量が変化し且つ検出対象と第９接続電極との間の静電容量が変化する。このため、第３接続電極および第９接続電極の電気信号（電圧又は電流）の変化が検出部４２０’に検出され、検出部４２０’の第３信号および第９信号が前記電気信号に応じて変化する。制御本体部４３０’は、検出部４２０’の第３信号および第９信号に基づいて、第３接続電極および第９接続電極の電気信号が変化したと判断し、第３接続電極および第９接続電極に共用されている検出電極２００ｅに、検出対象が接近したと判断する。前記サイクルの後の１又は複数サイクル中に、検出対象と第４接続電極との間の静電容量が変化し且つ検出対象と第１０接続電極との間の静電容量が変化する。このため、第４接続電極および第１０接続電極の電気信号（電圧又は電流）の変化が検出部４２０’に検出され、検出部４２０’の第４信号および第１０信号が前記電気信号に応じて変化する。制御本体部４３０’は、検出部４２０’の第４信号および第１０信号に基づいて、第４接続電極および第１０接続電極の電気信号が変化したと判断し、第４接続電極および第１０接続電極に共用されている検出電極２００ｈに、検出対象が接近したと判断する。前記サイクルの後の１又は複数のサイクル中に、検出対象と第１０接続電極との間の静電容量が変化し且つ検出対象と検出電極２００ｌとの間の静電容量が変化する。このため、第１０接続電極および検出電極２００ｌの電気信号（電圧又は電流）の変化が検出部４２０’に検出され、検出部４２０’の第１０信号および第６信号が前記電気信号に応じて変化する。制御本体部４３０’は、検出部４２０’の第１０信号および第６信号に基づいて、第１０接続電極および検出電極２００ｌの電気信号が変化したと判断し、第１０接続電極および検出電極２００ｌの共用である検出電極２００ｌに、検出対象が接近したと判断する。以上の通り、制御本体部４３０’は、カバーパネルの検出電極２００ａ、２００ｅ、２００ｈおよび２００ｌの上側部分が検出対象にＸ方向になぞられたと判断する。
【００６２】
以上のようなタッチパネルＴ２は、タッチパネルＴ１と同様の技術的特徴を有する。
【００６３】
なお、上述したタッチパネルは、上記実施例に限定されるものではなく、特許請求の範囲の記載範囲において任意に設計変更することが可能である。以下、詳しく述べる。
【００６４】
本発明の検出電極は、前記ベースの面上に互いに間隔をあけて設けられている限り任意に設計変更することが可能である。すなわち、検出電極の配置は、マトリックス以外の配置とすることが可能である。検出電極の形状は、矩形状に限定されず、円形や多角形等の他の形状とすることが可能である。
【００６５】
本願発明の制御部の接続切替部は、下記の複数の接続を順次行うことを１サイクルとし、当該サイクルを繰り返すことが可能な構成である限り任意に設計変更することが可能である。前記接続切替部の前記接続は、各行（第１〜第ｎ行）の前記検出電極が一つの接続電極として機能するように当該各行（第１〜第ｎ行）の前記検出電極を接続することと、各列（第１〜第ｎ列）の前記検出電極が一つの接続電極として機能するように当該各列（第１〜第ｎ列）の前記検出電極を接続することとを含む。又は、前記接続切替部の前記接続は、予め定められた各グループ（第１〜第ｎグループ）の前記検出電極が一つの接続電極として機能するように当該各グループの前記検出電極を接続することを含む。接続切替部は、接続電極を構成する検出電極以外の検出電極を単に接続しない又はＧＮＤ以外（例えば、別の検出部等）に接続させることが可能である。
【００６６】
本発明の接続切替部は、上記サイクル間で他の接続を行う構成とすることが可能である。例えば、タッチパネルＴ１の接続切替部４１０は、サイクル間で、予め定められたグループの検出電極が一つの接続電極として機能するように当該グループの前記検出電極を接続する構成とすることが可能である。前記グループの前記検出電極は、各行および各列の検出電極と異なっていることが好ましい。例えば、前記グループの前記検出電極は、マトリックスの全ての検出電極又は一部の検出電極とし、当該検出電極によって構成される接続電極をタッチセンサや近接センサとして機能させることが可能である。タッチパネルＴ１の接続切替部４１０は、サイクル間で、検出電極２００ａ〜２００ｌのうちの一つの検出電極を検出部４２０に接続する構成とすることが可能である。タッチパネルＴ２の接続切替部４１０’は、１サイクル内で、第２〜第５および第８〜第１１接続を行う一方、サイクル間で第１、第６、第７および第１２接続を行うことが可能である。なお、本発明のグループは、上述した例に限定されるものではなく、任意に設定可能である。
【００６７】
本発明の制御部の検出部は、接続切替部によって接続された前記接続電極の電気信号を各々検出し、当該電気信号に対応した信号を出力可能な構成である限り任意に設計変更することが可能である。上述の通り、接続切替部がサイクル間で他の接続（グループの検出電極を接続し、接続電極として機能させる又は検出電極を検出部に接続させること）を行う場合、検出部は、サイクル間で、接続電極又は検出電極の電気信号を検出し、当該電気信号に対応した信号も出力する構成とすることが可能である。
【００６８】
本発明の制御部の制御本体部は、本発明のタッチパネルが搭載される電子機器の制御部によって代用可能である。すなわち、制御本体部は省略可能である。また、本発明の制御部の制御本体部は、１サイクル中に、検出部の信号に基づいて、電気信号が変化した複数の前記接続電極のうち二つの接続電極に共用されている検出電極に検出対象が接近したと判断可能である限り任意に設計変更することが可能である。制御部の制御本体部は、サイクル間の検出部の信号に応じて、接続電極又は検出電極に検出対象が接近したと判断する構成とすることが可能である。
【００６９】
本発明の外部接続部は、検出電極に接続され得る限り任意に設計変更することが可能である。外部接続部は、例えば、検出電極に接続されたピン又はケーブル等とすることが可能である。本発明の導電ラインは、ベースに間隔をあけて設けられており且つ前記検出電極に接続されている限り任意に設計変更することが可能である。例えば、導電ラインのうちの少なくとも一つの導電ラインが、隣り合う２つの検出電極間を通って、マトリックス（全検出電極）の周辺領域に引き出されるように配置され、前記導電ラインのうちの残りの導電ラインが、前記周辺領域に配置されている構成とすることが可能である。また、全ての導電ラインが、ベース上のマトリックス（全検出電極）の周辺領域に間隔をあけて設けられた構成とすることが可能である。また、導電ラインは、ベースの検出電極が設けられた面の裏側の面に設けられ、スルーホール電極等によって検出電極に接続された構成とすることが可能である。
【００７０】
なお、上記実施例におけるタッチパネルの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。本発明の検出対象は、検出電極に接近することによって、当該検出対象と検出電極との間に静電容量を発生させ得るものである限り任意に設計変更することが可能である。指以外の検出対象としては、タッチペン等がある。
【符号の説明】
【００７１】
１００・・・・ベース
２００・・・・検出電極
３００・・・・導電ライン（外部接続部）
４００・・・・制御部
４１０・・・接続切替部
４２０・・・検出部
４３０・・・制御本体部
４００’・・・制御部
４１０’・・接続切替部
４２０’・・検出部
４３０’・・制御本体部
Ｓ・・・・・・隙間
【図１】
2015032234.tif 000003
【図２Ａ】
2015032234.tif 000004
【図２Ｂ】
2015032234.tif 000005
【図３】
2015032234.tif 000006
【図４】
2015032234.tif 000007
【図５】
2015032234.tif 000008
【図６】
2015032234.tif 000009